(57)【要約】【課題】生コン使用量の低減に寄与するとともに、現場での施工性の向上と工期の短縮に寄与することができる重力式プレキャスト防潮堤を提供する。【解決手段】プレキャストフーチング１２は法線方向に分割されていて、プレキャストフーチング１２は、プレキャスト壁体６０との連結部を有する壁体連結フーチングブロック１４と、壁体連結フーチングブロック１４同士の間に配置される間詰めフーチングブロック１６、１８とを有してなり、法線方向に隣り合う壁体連結フーチングブロック１４と間詰めフーチングブロック１６、１８とは、法直方向の外力がプレキャスト壁体６０に作用して重力式プレキャスト防潮堤１０が転倒または滑動しようとする際に生じる力を相互に伝達できるように連結されている。【選択図】図１
2018053612.tif 000002
【特許請求の範囲】
【請求項１】
支持地盤に支持されて直接基礎となるプレキャストフーチングと、
前記プレキャストフーチングの上方に配置され、面内方向に貫通する壁体貫通孔を有し、該壁体貫通孔の内面に壁体さや管を有するプレキャスト壁体と、
前記プレキャストフーチングおよび前記プレキャスト壁体を連結する芯材と、
を備えた重力式プレキャスト防潮堤であって、
前記プレキャストフーチングは法線方向に分割されていて、前記プレキャストフーチングは、前記プレキャスト壁体との連結部を有する壁体連結フーチングブロックと、前記壁体連結フーチングブロック同士の間に配置される間詰めフーチングブロックとを有してなり、
前記壁体連結フーチングブロックは少なくとも上方に開口した上方開口孔を有し、該上方開口孔の内面には前記壁体連結フーチングブロックのコンクリート部の上面よりも上方の位置まで延伸している突出さや管が備えられ、
前記プレキャスト壁体の前記壁体さや管には前記突出さや管が差し込まれ、前記突出さや管には前記芯材が差し込まれ、
前記突出さや管に差し込まれた前記芯材は、前記突出さや管の上端よりも上方に延伸していて前記壁体さや管の内部を挿通して前記プレキャスト壁体の天端付近に達しており、
前記突出さや管は該突出さや管が差し込まれた前記壁体さや管と一体化しており、前記芯材は該芯材が差し込まれた前記突出さや管および該芯材が挿通する前記壁体さや管と一体化しており、
前記壁体連結フーチングブロックは、その内部に、略法直方向に水平方向骨格部材を備えていて、
前記水平方向骨格部材は前記突出さや管と連結されており、
さらに、法線方向に隣り合う前記壁体連結フーチングブロックと前記間詰めフーチングブロックとは、法直方向の外力が前記プレキャスト壁体に作用して前記重力式プレキャスト防潮堤が転倒または滑動しようとする際に生じる力を相互に伝達できるように連結されていることを特徴とする重力式プレキャスト防潮堤。
【請求項２】
支持地盤に支持されて直接基礎となるプレキャストフーチングと、
前記プレキャストフーチングの上方に配置され、面内方向に貫通する壁体貫通孔を有し、該壁体貫通孔の内面に壁体さや管を有する複数のプレキャスト壁体と、
前記プレキャストフーチングおよび前記複数のプレキャスト壁体を連結する芯材と、
を備えた重力式プレキャスト防潮堤であって、
前記プレキャストフーチングは法線方向に分割されていて、前記プレキャストフーチングは、前記プレキャスト壁体との連結部を有する壁体連結フーチングブロックと、前記壁体連結フーチングブロック同士の間に配置される間詰めフーチングブロックとを有してなり、
前記壁体連結フーチングブロックは少なくとも上方に開口した上方開口孔を有し、該上方開口孔の内面には前記壁体連結フーチングブロックのコンクリート部の上面よりも上方の位置まで延伸している突出さや管が備えられ、
前記プレキャスト壁体は、前記壁体貫通孔同士が連結するように鉛直方向に複数積み重ねられ、鉛直方向に複数積み重ねられた前記プレキャスト壁体のうち少なくとも最下段の前記プレキャスト壁体の前記壁体さや管には前記突出さや管が差し込まれ、該突出さや管には前記芯材が差し込まれ、
前記突出さや管に差し込まれた前記芯材は、前記突出さや管の上端よりも上方に延伸していて前記壁体さや管の内部を挿通して、鉛直方向に複数積み重ねられた前記プレキャスト壁体の最上段の前記プレキャスト壁体の天端付近に達しており、
前記突出さや管は該突出さや管が差し込まれた前記壁体さや管と一体化しており、前記芯材は該芯材が差し込まれた前記突出さや管および該芯材が挿通する前記壁体さや管と一体化しており、
前記壁体連結フーチングブロックは、その内部に、略法直方向に水平方向骨格部材を備えていて、
前記水平方向骨格部材は前記突出さや管と連結されており、
さらに、法線方向に隣り合う前記壁体連結フーチングブロックと前記間詰めフーチングブロックとは、法直方向の外力が前記プレキャスト壁体に作用して前記重力式プレキャスト防潮堤が転倒または滑動しようとする際に生じる力を相互に伝達できるように連結されていることを特徴とする重力式プレキャスト防潮堤。
【請求項３】
前記壁体連結フーチングブロックを法線方向と平行な鉛直面で切断して得られる断面形状は、下部の幅が上部の幅よりも大きく、前記壁体連結フーチングブロックは法線方向に張り出した下部張出し部を有し、前記間詰めフーチングブロックを法線方向と平行な鉛直面で切断して得られる断面形状は、上部の幅が下部の幅よりも大きく、前記間詰めフーチングブロックは法線方向に張り出した上部張出し部を有することを特徴とする請求項１または２に記載の重力式プレキャスト防潮堤。
【請求項４】
前記壁体連結フーチングブロックの前記下部張出し部と前記間詰めフーチングブロックの前記上部張出し部は略鉛直方向に配置された鋼製のアンカー部材で連結されていることを特徴とする請求項３に記載の重力式プレキャスト防潮堤。
【請求項５】
前記壁体連結フーチングブロックの前記下部張出し部の上面には略鉛直方向に突出した凸部または略鉛直方向に凹んだ凹部が設けられており、前記間詰めフーチングブロックの前記上部張出し部の下面には、前記壁体連結フーチングブロックの前記下部張出し部の上面に設けられた前記凸部または前記凹部と嵌合する凹部または凸部が設けられていることを特徴とする請求項３に記載の重力式プレキャスト防潮堤。
【請求項６】
前記壁体連結フーチングブロックを法線方向と平行な鉛直面で切断して得られる断面形状は、下部の幅が上部の幅よりも大きく、前記壁体連結フーチングブロックは法線方向に張り出した下部張出し部を有し、前記間詰めフーチングブロックの形状は、略法直方向に細長い略直方体形状であり、
前記壁体連結フーチングブロックと法線方向に隣り合うように前記間詰めフーチングブロックが配置されており、該間詰めフーチングブロックに隣接する前記壁体連結フーチングブロックの前記下部張出し部の上方には現場打ちコンクリートが打設されており、
前記間詰めフーチングブロックと前記現場打ちコンクリートとの境界面を挿通するように略法線方向にアンカー部材が設けられており、さらに、前記壁体連結フーチングブロックと前記現場打ちコンクリートとの境界面を挿通するように略法線方向にアンカー部材が設けられていることを特徴とする請求項１または２に記載の重力式プレキャスト防潮堤。
【請求項７】
前記壁体連結フーチングブロックおよび前記間詰めフーチングブロックの形状は、略法直方向に細長い略直方体形状であり、前記壁体連結フーチングブロックの法線方向と略直交する側面の下部には、該側面と略直交する方向に突出した凸部が設けられており、前記間詰めフーチングブロックの法線方向と略直交する側面の下部には、前記壁体連結フーチングブロックの前記側面の下部に設けられた前記凸部と嵌合する凹部が設けられていることを特徴とする請求項１または２に記載の重力式プレキャスト防潮堤。
【請求項８】
前記突出さや管の部位のうち前記壁体連結フーチングブロックのコンクリート部に埋め込まれた部位の外表面には、略水平方向に突出するようにダイヤフラムが設けられており、該ダイヤフラムに前記水平方向骨格部材が取り付けられていることを特徴とする請求項１〜７のいずれかに記載の重力式プレキャスト防潮堤。
【請求項９】
前記突出さや管は鋼管であり、前記ダイヤフラムは鋼板であり、前記水平方向骨格部材はＩ形の鋼材であることを特徴とする請求項８に記載の重力式プレキャスト防潮堤。
【請求項１０】
前記芯材は鋼管であることを特徴とする請求項１〜９のいずれかに記載の重力式プレキャスト防潮堤。
【請求項１１】
前記芯材は、鋼板からビルドアップして製作された鋼材であるか、または形鋼であることを特徴とする請求項１〜９のいずれかに記載の重力式プレキャスト防潮堤。
【請求項１２】
前記突出さや管と該突出さや管が差し込まれた前記壁体さや管との間隙にはグラウト材が充填され、前記芯材と該芯材が差し込まれた前記突出さや管との間隙にはグラウト材が充填され、前記芯材と該芯材が内部を挿通する前記壁体さや管との間隙にはグラウト材が充填されていることを特徴とする請求項１〜１１のいずれかに記載の重力式プレキャスト防潮堤。
【請求項１３】
前記プレキャスト壁体は、その法線方向の両端部の壁厚がそれ以外の部位の壁厚よりも厚くなっており、前記プレキャスト壁体の前記両端部に前記壁体さや管が備えられていることを特徴とする請求項１〜１２のいずれかに記載の重力式プレキャスト防潮堤。
【請求項１４】
前記プレキャストフーチングは、その下面に、略法線方向に延びる、下方に突出した突出部を有していることを特徴とする請求項１〜１３のいずれかに記載の重力式プレキャスト防潮堤。
【発明の詳細な説明】
【技術分野】
【０００１】
本発明は、重力式プレキャスト防潮堤に関し、詳細には、フーチング部および壁体部のどちらもがプレキャスト化された重力式プレキャスト防潮堤に関する。
【背景技術】
【０００２】
２０１１年３月１１日に発生した東北地方太平洋沖地震による大津波は、三陸沿岸域に大きな被害をもたらした。この大被害を受け、三陸沿岸域では防潮堤の復旧および整備が現在鋭意進められている。
【０００３】
三陸沿岸域における防潮堤の復旧および整備においては、大津波への抵抗力の観点から、杭式の防潮堤が検討される場合がある。
【０００４】
しかしながら、三陸沿岸域は地層構造が複雑であり、岩などの固い地盤が地表近くに現れることも多い。そのような場所では、杭の打設が非常に困難になり、杭式の防潮堤を設置することには困難が伴う。
【０００５】
そのような場合には、杭式以外の構造形式の防潮堤を検討せざるを得なく、杭を備えない重力式防潮堤が有力な選択肢として浮上する。杭を備えない重力式防潮堤は、例えば、特許文献１、２等に記載されている。
【０００６】
一方、三陸沿岸域では依然として生コン不足が続いており、現場での生コン使用量を少なくすることが望まれているが、重力式防潮堤は現場での生コン使用量は多くなる傾向がある。
【０００７】
また、現場打ちコンクリートで重力式防潮堤を構築する場合、型枠の形状が複雑な形状になって施工性が悪くなる場合も考えられる。また、現場でのコンクリート打設は、現地での生コン調達の状況や天候等に左右されるため、施工計画通りに工事を進めることができなくなる可能性も考えられる。
【先行技術文献】
【特許文献】
【０００８】
【特許文献１】特開２０１２−６２７５０号公報
【特許文献２】特開２０１５−２２９８９６号公報
【発明の概要】
【発明が解決しようとする課題】
【０００９】
本発明は、かかる状況に鑑みてなされたものであって、生コン使用量の低減に寄与するとともに、現場での施工性の向上と工期の短縮に寄与することができる重力式プレキャスト防潮堤を提供することを課題とする。
【課題を解決するための手段】
【００１０】
本発明は、以下の重力式プレキャスト防潮堤により、前記課題を解決したものである。
【００１１】
即ち、本発明に係る重力式プレキャスト防潮堤の第１の態様は、支持地盤に支持されて直接基礎となるプレキャストフーチングと、前記プレキャストフーチングの上方に配置され、面内方向に貫通する壁体貫通孔を有し、該壁体貫通孔の内面に壁体さや管を有するプレキャスト壁体と、前記プレキャストフーチングおよび前記プレキャスト壁体を連結する芯材と、を備えた重力式プレキャスト防潮堤であって、前記プレキャストフーチングは法線方向に分割されていて、前記プレキャストフーチングは、前記プレキャスト壁体との連結部を有する壁体連結フーチングブロックと、前記壁体連結フーチングブロック同士の間に配置される間詰めフーチングブロックとを有してなり、前記壁体連結フーチングブロックは少なくとも上方に開口した上方開口孔を有し、該上方開口孔の内面には前記壁体連結フーチングブロックのコンクリート部の上面よりも上方の位置まで延伸している突出さや管が備えられ、前記プレキャスト壁体の前記壁体さや管には前記突出さや管が差し込まれ、前記突出さや管には前記芯材が差し込まれ、前記突出さや管に差し込まれた前記芯材は、前記突出さや管の上端よりも上方に延伸していて前記壁体さや管の内部を挿通して前記プレキャスト壁体の天端付近に達しており、前記突出さや管は該突出さや管が差し込まれた前記壁体さや管と一体化しており、前記芯材は該芯材が差し込まれた前記突出さや管および該芯材が挿通する前記壁体さや管と一体化しており、前記壁体連結フーチングブロックは、その内部に、略法直方向に水平方向骨格部材を備えていて、前記水平方向骨格部材は前記突出さや管と連結されており、さらに、法線方向に隣り合う前記壁体連結フーチングブロックと前記間詰めフーチングブロックとは、法直方向の外力が前記プレキャスト壁体に作用して前記重力式プレキャスト防潮堤が転倒または滑動しようとする際に生じる力を相互に伝達できるように連結されていることを特徴とする重力式プレキャスト防潮堤である。
【００１２】
ここで、法線方向とは、前記プレキャスト壁体の壁面の延長方向のことであり、前記重力式プレキャスト防潮堤の延びる方向（海岸線にほぼ沿う方向となることが多い。）のことである。
【００１３】
また、法直方向とは、法線方向と直交する水平方向のことである。
【００１４】
また、法直方向の外力とは、前記プレキャスト壁体の壁面（想定される外力を直接に受ける外面）に向かう方向の法直方向の外力のことである。
【００１５】
また、「前記水平方向骨格部材は前記突出さや管と連結されており」とは、前記水平方向骨格部材が前記突出さや管と接触して直接的に連結されている場合だけでなく、他の部材を介して前記水平方向骨格部材が前記突出さや管と間接的に連結されている場合も含む概念である。
【００１６】
本発明に係る重力式プレキャスト防潮堤の第２の態様は、支持地盤に支持されて直接基礎となるプレキャストフーチングと、前記プレキャストフーチングの上方に配置され、面内方向に貫通する壁体貫通孔を有し、該壁体貫通孔の内面に壁体さや管を有する複数のプレキャスト壁体と、前記プレキャストフーチングおよび前記複数のプレキャスト壁体を連結する芯材と、を備えた重力式プレキャスト防潮堤であって、前記プレキャストフーチングは法線方向に分割されていて、前記プレキャストフーチングは、前記プレキャスト壁体との連結部を有する壁体連結フーチングブロックと、前記壁体連結フーチングブロック同士の間に配置される間詰めフーチングブロックとを有してなり、前記壁体連結フーチングブロックは少なくとも上方に開口した上方開口孔を有し、該上方開口孔の内面には前記壁体連結フーチングブロックのコンクリート部の上面よりも上方の位置まで延伸している突出さや管が備えられ、前記プレキャスト壁体は、前記壁体貫通孔同士が連結するように鉛直方向に複数積み重ねられ、鉛直方向に複数積み重ねられた前記プレキャスト壁体のうち少なくとも最下段の前記プレキャスト壁体の前記壁体さや管には前記突出さや管が差し込まれ、該突出さや管には前記芯材が差し込まれ、前記突出さや管に差し込まれた前記芯材は、前記突出さや管の上端よりも上方に延伸していて前記壁体さや管の内部を挿通して、鉛直方向に複数積み重ねられた前記プレキャスト壁体の最上段の前記プレキャスト壁体の天端付近に達しており、前記突出さや管は該突出さや管が差し込まれた前記壁体さや管と一体化しており、前記芯材は該芯材が差し込まれた前記突出さや管および該芯材が挿通する前記壁体さや管と一体化しており、前記壁体連結フーチングブロックは、その内部に、略法直方向に水平方向骨格部材を備えていて、前記水平方向骨格部材は前記突出さや管と連結されており、さらに、法線方向に隣り合う前記壁体連結フーチングブロックと前記間詰めフーチングブロックとは、法直方向の外力が前記プレキャスト壁体に作用して前記重力式プレキャスト防潮堤が転倒または滑動しようとする際に生じる力を相互に伝達できるように連結されていることを特徴とする重力式プレキャスト防潮堤である。
【００１７】
前記壁体連結フーチングブロックを法線方向と平行な鉛直面で切断して得られる断面形状は、下部の幅が上部の幅よりも大きく、前記壁体連結フーチングブロックは法線方向に張り出した下部張出し部を有し、前記間詰めフーチングブロックを法線方向と平行な鉛直面で切断して得られる断面形状は、上部の幅が下部の幅よりも大きく、前記間詰めフーチングブロックは法線方向に張り出した上部張出し部を有することが好ましい。
【００１８】
前記壁体連結フーチングブロックの前記下部張出し部と前記間詰めフーチングブロックの前記上部張出し部は略鉛直方向に配置された鋼製のアンカー部材で連結されていてもよい。
【００１９】
前記壁体連結フーチングブロックの前記下部張出し部の上面には略鉛直方向に突出した凸部または略鉛直方向に凹んだ凹部が設けられており、前記間詰めフーチングブロックの前記上部張出し部の下面には、前記壁体連結フーチングブロックの前記下部張出し部の上面に設けられた前記凸部または前記凹部と嵌合する凹部または凸部が設けられているように構成してもよい。
【００２０】
前記壁体連結フーチングブロックを法線方向と平行な鉛直面で切断して得られる断面形状は、下部の幅が上部の幅よりも大きく、前記壁体連結フーチングブロックは法線方向に張り出した下部張出し部を有し、前記間詰めフーチングブロックの形状は、略法直方向に細長い略直方体形状であり、前記壁体連結フーチングブロックと法線方向に隣り合うように前記間詰めフーチングブロックが配置されており、該間詰めフーチングブロックに隣接する前記壁体連結フーチングブロックの前記下部張出し部の上方には現場打ちコンクリートが打設されており、前記間詰めフーチングブロックと前記現場打ちコンクリートとの境界面を挿通するように略法線方向にアンカー部材が設けられており、さらに、前記壁体連結フーチングブロックと前記現場打ちコンクリートとの境界面を挿通するように略法線方向にアンカー部材が設けられているように構成してもよい。
【００２１】
前記壁体連結フーチングブロックおよび前記間詰めフーチングブロックの形状は、略法直方向に細長い略直方体形状であり、前記壁体連結フーチングブロックの法線方向と略直交する側面の下部には、該側面と略直交する方向に突出した凸部が設けられており、前記間詰めフーチングブロックの法線方向と略直交する側面の下部には、前記壁体連結フーチングブロックの前記側面の下部に設けられた前記凸部と嵌合する凹部が設けられているように構成してもよい。
【００２２】
ここで、側面の下部とは、当該側面の高さ方向の中心位置よりも下方の領域のことである。
【００２３】
前記突出さや管の部位のうち前記壁体連結フーチングブロックのコンクリート部に埋め込まれた部位の外表面には、略水平方向に突出するようにダイヤフラムが設けられており、該ダイヤフラムに前記水平方向骨格部材が取り付けられているように構成してもよい。
【００２４】
前記突出さや管を鋼管とし、前記ダイヤフラムを鋼板とし、前記水平方向骨格部材をＩ形の鋼材としてもよい。
【００２５】
前記芯材は鋼管としてもよい。
【００２６】
前記芯材を、鋼板からビルドアップして製作された鋼材としてもよいし、または形鋼としてもよい。
【００２７】
前記突出さや管と該突出さや管が差し込まれた前記壁体さや管との間隙にはグラウト材が充填され、前記芯材と該芯材が差し込まれた前記突出さや管との間隙にはグラウト材が充填され、前記芯材と該芯材が内部を挿通する前記壁体さや管との間隙にはグラウト材が充填されているようにしてもよい。
【００２８】
前記プレキャスト壁体は、その法線方向の両端部の壁厚がそれ以外の部位の壁厚よりも厚くなっており、前記プレキャスト壁体の前記両端部に前記壁体さや管が備えられているようにしてもよい。
【００２９】
前記プレキャストフーチングは、その下面に、略法線方向に延びる、下方に突出した突出部を有していてもよい。
【発明の効果】
【００３０】
本発明に係る重力式プレキャスト防潮堤は、生コン使用量の低減に寄与するとともに、現場での施工性の向上と工期の短縮に寄与することができる。
【図面の簡単な説明】
【００３１】
【図１】本発明の実施形態に係る重力式プレキャスト防潮堤１０の斜視図
【図２】重力式プレキャスト防潮堤１０の鉛直断面図
【図３】重力式プレキャスト防潮堤１０のプレキャストフーチング１２の一部を構成する部材である壁体連結フーチングブロック１４を示す斜視図
【図４】プレキャストフーチング１２の一部を構成する部材である第１の間詰めフーチングブロック１６を示す斜視図
【図５】プレキャストフーチング１２の一部を構成する部材である第２の間詰めフーチングブロック１８を示す斜視図
【図６】壁体連結フーチングブロック１４に用いられているフーチング鋼材２０を示す斜視図
【図７】プレキャストフーチング１２をプレキャスト壁体６０の法線方向と直交する水平方向から見た側面図
【図８】重力式プレキャスト防潮堤１０のプレキャスト壁体６０を示す斜視図
【図９】プレキャスト壁体６０に用いられている壁体鋼材６２を示す斜視図
【図１０】法線方向と平行な鉛直面でプレキャストフーチング１２の壁体連結フーチングブロック１４の部位を切断して得られた鉛直断面図
【図１１】フーチング鋼材２０の変形例であるフーチング鋼材２１を示す斜視図
【図１２】重力式プレキャスト防潮堤１０を設置する際の工程のうちの一工程を模式的に示す図
【図１３】重力式プレキャスト防潮堤１０を設置する際の工程のうちの一工程を模式的に示す図
【図１４】重力式プレキャスト防潮堤１０を設置する際の工程のうちの一工程を模式的に示す図
【図１５】重力式プレキャスト防潮堤１０を設置する際の工程のうちの一工程を模式的に示す図
【図１６】重力式プレキャスト防潮堤１０を設置する際の工程のうちの一工程を模式的に示す図
【図１７】重力式プレキャスト防潮堤１０を設置する際の工程のうちの一工程を模式的に示す図
【図１８】重力式プレキャスト防潮堤１０を設置する際の工程のうちの一工程を模式的に示す図
【図１９】重力式プレキャスト防潮堤１０を設置する際の工程のうちの一工程を模式的に示す図
【図２０】重力式プレキャスト防潮堤１０を設置する際の工程のうちの一工程を模式的に示す図
【図２１】重力式プレキャスト防潮堤１０を設置する際の工程のうちの一工程を模式的に示す図
【図２２】重力式プレキャスト防潮堤１０を設置する際の工程のうちの一工程を模式的に示す図
【図２３】重力式プレキャスト防潮堤１０を設置する際の工程のうちの一工程を模式的に示す図
【図２４】重力式プレキャスト防潮堤１０を設置する際の工程のうちの一工程を模式的に示す図
【図２５】変形例１における壁体連結フーチングブロック１４と間詰めフーチングブロック１００との連結態様を示す鉛直断面図
【図２６】変形例２を示す斜視図であり、（Ａ）変形例２の壁体連結フーチングブロック１１０の斜視図、（Ｂ）変形例２の間詰めフーチングブロック１１２、１１４の斜視図
【図２７】変形例３を示す斜視図であり、（Ａ）変形例３の壁体連結フーチングブロック１２０の斜視図、（Ｂ）変形例３の間詰めフーチングブロック１２２、１２４の斜視図
【発明を実施するための形態】
【００３２】
以下、図面を参照して、本発明の実施形態を詳細に説明する。
【００３３】
図１は、本発明の実施形態に係る重力式プレキャスト防潮堤１０の斜視図である。図１においては、重力式プレキャスト防潮堤１０の内部の構造を示すため、一部の部位についてはコンクリートを描いていない。図２は、本発明の実施形態に係る重力式プレキャスト防潮堤１０の鉛直断面図（壁体連結フーチングブロック１４の法線方向の中心位置を通るようにプレキャスト壁体６０の法線方向と直交する鉛直面で重力式プレキャスト防潮堤１０を切断して得られた鉛直断面図）である。図３は、重力式プレキャスト防潮堤１０のプレキャストフーチング１２の一部を構成する部材である壁体連結フーチングブロック１４を示す斜視図であり、図４は、プレキャストフーチング１２の一部を構成する部材である第１の間詰めフーチングブロック１６を示す斜視図であり、図５は、プレキャストフーチング１２の一部を構成する部材である第２の間詰めフーチングブロック１８を示す斜視図である。図６は、壁体連結フーチングブロック１４に用いられているフーチング鋼材２０を示す斜視図である。図７は、プレキャストフーチング１２をプレキャスト壁体６０の法線方向と直交する水平方向から見た側面図である。図８は、重力式プレキャスト防潮堤１０のプレキャスト壁体６０を示す斜視図であり、図９は、プレキャスト壁体６０に用いられている壁体鋼材６２を示す斜視図である。図１０は、法線方向と平行な鉛直面でプレキャストフーチング１２の壁体連結フーチングブロック１４の部位を切断して得られた鉛直断面図である。
【００３４】
（本実施形態に係る重力式プレキャスト防潮堤１０の構成）
本実施形態に係る重力式プレキャスト防潮堤１０は、プレキャストフーチング１２と、４段に積まれたプレキャスト壁体６０と、プレキャストフーチング１２および４段に積まれたプレキャスト壁体６０を連結する芯材８０と、を備えてなる。本発明の実施形態に係る重力式プレキャスト防潮堤１０の延びる方向は、プレキャスト壁体６０の法線方向（以下、単に法線方向と記すことがある。）であり、海岸線にほぼ沿う方向となることが多い。
【００３５】
プレキャストフーチング１２は、図１に示すように、重力式プレキャスト防潮堤１０の延びる方向（プレキャスト壁体６０の法線方向）に分割されている。具体的には、プレキャストフーチング１２は、プレキャスト壁体６０との連結部を有する壁体連結フーチングブロック１４と、壁体連結フーチングブロック１４同士の間に配置される第１の間詰めフーチングブロック１６および第２の間詰めフーチングブロック１８とを有している。
【００３６】
第１の間詰めフーチングブロック１６は、図１に示すように、プレキャスト壁体６０の法線方向と直交する水平方向から見て、プレキャスト壁体６０の中央部の下方に配置されており、第２の間詰めフーチングブロック１８は、図１に示すように、プレキャスト壁体６０の法線方向と直交する水平方向から見て、プレキャスト壁体６０の法線方向に隣り合うプレキャスト壁体６０の隣り合う端部同士の下方に配置されている。
【００３７】
壁体連結フーチングブロック１４（図３参照）は、工場で製作されるプレキャスト部材であり、図６に示すフーチング鋼材２０の周囲に所定の型枠を配置して工場でコンクリートを打設してコンクリート部３０を形成して製作されるプレキャスト部材である。
【００３８】
図３および図７に示すように、壁体連結フーチングブロック１４を法線方向と平行な鉛直面で切断して得られる断面形状は、下部の幅が上部の幅よりも大きく、壁体連結フーチングブロック１４は法線方向に張り出した下部張出し部１４Ａを有する。下部張出し部１４Ａの上面には、図３に示すように、アンカーボルト４０（図１０参照）が配置される連結用孔１４Ｂが所定の間隔で設けられている。連結用孔１４Ｂは、その長手方向が上下方向となるように設けられた孔である。
【００３９】
第１の間詰めフーチングブロック１６は、工場で製作されるプレキャスト部材である。図４および図７に示すように、第１の間詰めフーチングブロック１６を法線方向と平行な鉛直面で切断して得られる断面形状は、上部の幅が下部の幅よりも大きく、第１の間詰めフーチングブロック１６は法線方向に張り出した上部張出し部１６Ａを有する。上部張出し部１６Ａには、図４に示すように、アンカーボルト４０（図１０参照）が配置される連結用孔１６Ｂが所定の間隔で設けられている。連結用孔１６Ｂは、上部張出し部１６Ａを上下方向に貫通する貫通孔である。
【００４０】
第２の間詰めフーチングブロック１８は、工場で製作されるプレキャスト部材である。図５および図７に示すように、第２の間詰めフーチングブロック１８を法線方向と平行な鉛直面で切断して得られる断面形状は、上部の幅が下部の幅よりも大きく、第２の間詰めフーチングブロック１８は法線方向に張り出した上部張出し部１８Ａを有する。上部張出し部１８Ａには、図５に示すように、アンカーボルト４０（図１０参照）が配置される連結用孔１８Ｂが所定の間隔で設けられている。連結用孔１８Ｂは、上部張出し部１８Ａを上下方向に貫通する貫通孔である。
【００４１】
壁体連結フーチングブロック１４の下部張出し部１４Ａと、第１の間詰めフーチングブロック１６の上部張出し部１６Ａおよび第２の間詰めフーチングブロック１８の上部張出し部１８Ａとは、図１および図７に示すようにお互いにかみ合う形状になっている。また、図１および図７に示すように、壁体連結フーチングブロック１４、第１の間詰めフーチングブロック１６および第２の間詰めフーチングブロック１８をお互いにかみ合うように配置すると、壁体連結フーチングブロック１４の下部張出し部１４Ａの連結用孔１４Ｂと第１の間詰めフーチングブロック１６の上部張出し部１６Ａの連結用孔１６Ｂとは位置が一致（連結用孔１４Ｂと連結用孔１６Ｂとが連通）し、壁体連結フーチングブロック１４の下部張出し部１４Ａの連結用孔１４Ｂと第２の間詰めフーチングブロック１８の上部張出し部１８Ａの連結用孔１８Ｂとは位置が一致（連結用孔１４Ｂと連結用孔１８Ｂとが連通）するように、連結用孔１４Ｂ、１６Ｂ、１８Ｂは設けられている。
【００４２】
図１および図７に示すように、壁体連結フーチングブロック１４、第１の間詰めフーチングブロック１６および第２の間詰めフーチングブロック１８をお互いにかみ合うように配置した後、連通した連結用孔１４Ｂと連結用孔１６Ｂおよび連通した連結用孔１４Ｂと連結用孔１８Ｂにアンカーボルト４０（図１０参照）を差し込み、さらにグラウト材４４（図１０参照）を充填して、壁体連結フーチングブロック１４、第１の間詰めフーチングブロック１６および第２の間詰めフーチングブロック１８を連結して、プレキャストフーチング１２を完成させる。アンカーボルト４０は、その長手方向が略鉛直方向になる。
【００４３】
壁体連結フーチングブロック１４はフーチング鋼材２０を有しており、フーチング鋼材２０の突出さや管２４を介してプレキャスト壁体６０と強固に連結しているので、上方から加わるプレキャスト壁体６０の重量を壁体連結フーチングブロック１４の全底面積で地盤に伝えることができる。
【００４４】
一方、第１の間詰めフーチングブロック１６は上部張出し部１６Ａを有し、第２の間詰めフーチングブロック１８は上部張出し部１８Ａを有していて、上部張出し部１６Ａ、１８Ａは壁体連結フーチングブロック１４の下部張出し部１４Ａの上方に配置されて、下部張出し部１４Ａとのかみ合わせ構造を構成しているが、第１の間詰めフーチングブロック１６の上部張出し部１６Ａおよび第２の間詰めフーチングブロック１８の上部張出し部１８Ａは壁体連結フーチングブロック１４の下部張出し部１４Ａの上方に配置されているため、プレキャスト壁体６０および壁体連結フーチングブロック１４の自重による鉛直方向下向きの荷重は、壁体連結フーチングブロック１４から第１の間詰めフーチングブロック１６および第２の間詰めフーチングブロック１８には伝達されない。
【００４５】
また、第１の間詰めフーチングブロック１６および第２の間詰めフーチングブロック１８は、プレキャスト壁体６０との連結部を有しないため、重力式プレキャスト防潮堤１０の支持力の算出の際に、プレキャスト壁体６０の自重による鉛直方向下向きの荷重が第１の間詰めフーチングブロック１６および第２の間詰めフーチングブロック１８に伝達され、その伝達された荷重が第１の間詰めフーチングブロック１６および第２の間詰めフーチングブロック１８の底面から地盤に伝達されるものとして設計を行うと、危険側の設計となる。即ち、重力式プレキャスト防潮堤１０の支持力の算出の際に、第１の間詰めフーチングブロック１６および第２の間詰めフーチングブロック１８も重力式プレキャスト防潮堤１０の支持力に寄与するものとして計算を行うと、危険側の設計となる。
【００４６】
このため、本実施形態に係る重力式プレキャスト防潮堤１０においては、全体の自重に対する支持力は壁体連結フーチングブロック１４のみで確保するように設計し、第１の間詰めフーチングブロック１６および第２の間詰めフーチングブロック１８の支持力への寄与はゼロとしている。
【００４７】
他方、本実施形態に係る重力式プレキャスト防潮堤１０の転倒と滑動に対する設計計算において、第１の間詰めフーチングブロック１６および第２の間詰めフーチングブロック１８の自重を見込むことができるように工夫した。
【００４８】
具体的には、図１および図７に示すように、壁体連結フーチングブロック１４と第１の間詰めフーチングブロック１６および第２の間詰めフーチングブロック１８との連結にかみ合わせ構造を採用するとともに、該かみ合わせ構造の部位に略鉛直方向に鋼製のアンカーボルト４０（図１０参照）を配置して、壁体連結フーチングブロック１４の下部張出し部１４Ａと、第１の間詰めフーチングブロック１６の上部張出し部１６Ａおよび第２の間詰めフーチングブロック１８の上部張出し部１８Ａとを連結するようにした。
【００４９】
重力式プレキャスト防潮堤１０が法直方向の外力を受けて転倒しようとするときは、壁体連結フーチングブロック１４の下部張出し部１４Ａが、第１の間詰めフーチングブロック１６の上部張出し部１６Ａおよび第２の間詰めフーチングブロック１８の上部張出し部１８Ａに引っ掛かるため、第１の間詰めフーチングブロック１６および第２の間詰めフーチングブロック１８の自重を、転倒に対する安定モーメントの算出の際に計算に見込むことができる。このように、法直方向の外力によって重力式プレキャスト防潮堤１０が転倒しようとする際には、壁体連結フーチングブロック１４と第１の間詰めフーチングブロック１６および第２の間詰めフーチングブロック１８とのかみ合わせ構造が、壁体連結フーチングブロック１４と第１の間詰めフーチングブロック１６および第２の間詰めフーチングブロック１８との間の力の伝達に効果を発揮する。
【００５０】
重力式プレキャスト防潮堤１０が法直方向の外力を受けて法直方向に滑動しようとするときは、アンカーボルト４０を介して、壁体連結フーチングブロック１４と第１の間詰めフーチングブロック１６および第２の間詰めフーチングブロック１８との間で、法直方向の力がせん断力として伝達されるので、第１の間詰めフーチングブロック１６および第２の間詰めフーチングブロック１８の自重を、重力式プレキャスト防潮堤１０の滑動に対する抵抗として計算に見込むことができる。即ち、重力式プレキャスト防潮堤１０の全体の地盤面との摩擦力の算出の際に、第１の間詰めフーチングブロック１６および第２の間詰めフーチングブロック１８の自重を計算に含めることができる。このように、法直方向の外力によって重力式プレキャスト防潮堤１０が法直方向に滑動しようとする際には、壁体連結フーチングブロック１４と第１の間詰めフーチングブロック１６および第２の間詰めフーチングブロック１８とのかみ合わせ構造の部位に略鉛直方向に配置された鋼製のアンカーボルト４０が、壁体連結フーチングブロック１４と第１の間詰めフーチングブロック１６および第２の間詰めフーチングブロック１８との間の力の伝達に効果を発揮する。
【００５１】
以上説明したように、重力式プレキャスト防潮堤１０においては、壁体連結フーチングブロック１４と第１の間詰めフーチングブロック１６および第２の間詰めフーチングブロック１８とのかみ合わせ構造、および該かみ合わせ構造の部位に略鉛直方向に配置した鋼製のアンカーボルト４０によって、第１の間詰めフーチングブロック１６および第２の間詰めフーチングブロック１８の自重を、重力式プレキャスト防潮堤１０の転倒と滑動に対する設計計算（想定される法直方向の外力（例えば津波の水平波力）に対する転倒と滑動についての設計計算）に見込むことができるようにした。
【００５２】
重力式プレキャスト防潮堤１０が法直方向の外力を受けて転倒しようとする際に、第１の間詰めフーチングブロック１６および第２の間詰めフーチングブロック１８の自重を壁体連結フーチングブロック１４に十分に伝達する観点から、壁体連結フーチングブロック１４の下部張出し部１４Ａの厚さ（上下方向の高さ）は、壁体連結フーチングブロック１４の厚さ（上下方向の高さ）の４０％〜６０％であることが好ましく、４５％〜５５％であることがより好ましく、第１の間詰めフーチングブロック１６の上部張出し部１６Ａの厚さ（上下方向の高さ）は、第１の間詰めフーチングブロック１６の厚さ（上下方向の高さ）の４０％〜６０％であることが好ましく、４５％〜５５％であることがより好ましく、第２の間詰めフーチングブロック１８の上部張出し部１８Ａの厚さ（上下方向の高さ）は、第２の間詰めフーチングブロック１８の厚さ（上下方向の高さ）の４０％〜６０％であることが好ましく、４５％〜５５％であることがより好ましい。
【００５３】
なお、アンカーボルト４０の径および設置本数については、重力式プレキャスト防潮堤１０が法直方向の外力を受けて法直方向に滑動しようとするときに、壁体連結フーチングブロック１４と、第１の間詰めフーチングブロック１６および第２の間詰めフーチングブロック１８との間に加わるせん断力（想定される法直方向の外力によって生じるせん断力）を伝達するのに必要な鋼材断面積を算出して、定めればよい。
【００５４】
図２および図３に示すように、壁体連結フーチングブロック１４は、上方に開口した上方開口孔３２を有し、該上方開口孔３２の内面には壁体連結フーチングブロック１４のコンクリート部３０の上面よりも上方の位置まで延伸している突出さや管２４が備えられている。
【００５５】
壁体連結フーチングブロック１４のフーチング鋼材２０は、図６に示すように、水平方向骨格部材２２と、突出さや管２４と、ダイヤフラム２６とを有してなる。水平方向骨格部材２２のプレキャスト壁体６０側の端部には、ダイヤフラム２６を介して突出さや管２４が取り付けられている。具体的には、ダイヤフラム２６は突出さや管２４の外周面に水平方向に突出するように溶接で取り付けられており、水平方向骨格部材２２のプレキャスト壁体６０側の端部は、ダイヤフラム２６に溶接で取り付けられている。
【００５６】
水平方向骨格部材２２は、断面形状がＩ形の鋼材であり、その長手方向が略法直方向となるように配置されているため、本実施形態に係る重力式プレキャスト防潮堤１０が大津波等から受けた外力を地盤に伝達する上で大きな役割を果たし、本実施形態に係る重力式プレキャスト防潮堤１０が防潮堤としての機能を発揮する上で重要な部材である。また、突出さや管２４は鋼管である。
【００５７】
水平方向骨格部材２２は、必要な機械的特性（強度、剛性等）を有していれば、断面形状がＩ形の鋼材でなくてもよく、材質および形状は特には限定されない。また、突出さや管２４は、必要な機械的特性（強度、剛性等）を有していれば、鋼管でなくてもよく、材質および形状は特には限定されない。
【００５８】
プレキャスト壁体６０は、図８に示すように、面内方向に貫通する壁体貫通孔７２を有し、壁体貫通孔７２の内面に壁体さや管６４を有しており、プレキャストフーチング１２の上方に配置されて、防潮堤の壁体となる部材である。
【００５９】
プレキャスト壁体６０は、工場で製作されるプレキャスト部材であり、図９に示す壁体鋼材６２の周囲に所定の型枠を配置して工場でコンクリートを打設してコンクリート部７０を形成して製作されるプレキャスト部材である。
【００６０】
プレキャスト壁体６０の壁体鋼材６２は、図９に示すように、壁体さや管６４と、法線方向部材６６とを有してなる。図９に示すように、法線方向部材６６の両端部に壁体さや管６４が配置され、壁体さや管６４と法線方向部材６６とは溶接で連結されている。壁体さや管６４は鋼管であり、法線方向部材６６はＩ形の鋼材である。
【００６１】
壁体さや管６４は、必要な機械的特性（強度、剛性等）を有していれば、鋼管でなくてもよく、材質および形状は特には限定されない。また、法線方向部材６６は、必要な機械的特性（強度、剛性等）を有していれば、断面形状がＩ形の鋼材でなくてもよく、材質および形状は特には限定されない。
【００６２】
プレキャスト壁体６０は、図１および図８に示すように、その法線方向の両端部の壁厚がそれ以外の部位の壁厚よりも厚くなっており、プレキャスト壁体６０の両端部に壁体さや管６４が備えられている。プレキャスト壁体６０は、壁体さや管６４を設ける両端部のみ壁厚を厚くしており、それ以外の部位は壁厚が厚くなっていないので、プレキャスト壁体６０全体の重量が増加することが抑制されている。
【００６３】
プレキャスト壁体６０は、壁体貫通孔７２同士が連結するように鉛直方向に４段積み重ねられ、鉛直方向に４段積み重ねられたプレキャスト壁体６０のうち少なくとも最下段のプレキャスト壁体６０の壁体さや管６４には突出さや管２４が差し込まれ、該突出さや管２４には芯材８０が差し込まれている。
【００６４】
また、プレキャスト壁体６０は、想定される外力を直接に受ける外面を、想定される外力の進行方向（例えば、大津波が進行してくると予想される方向）に向けるように配置されており、本実施形態に係る重力式プレキャスト防潮堤１０においては、図１の左側上方が海側となっており、図２の左側が海側となっている。図１に示すように、複数の重力式プレキャスト防潮堤１０を水平方向に連続するように配置することで、例えば海岸線に沿って延びる防潮堤を構築することができる。
【００６５】
突出さや管２４に差し込まれた芯材８０は、突出さや管２４の上端よりも上方に延伸していて壁体さや管６４の内部を挿通して、鉛直方向に４段積み重ねられたプレキャスト壁体６０の最上段のプレキャスト壁体６０の天端付近に達している。
【００６６】
突出さや管２４と該突出さや管２４が差し込まれた壁体さや管６４との間隙にはグラウト材が充填されて一体化され、芯材８０と該芯材８０が差し込まれた突出さや管２４との間隙にはグラウト材が充填されて一体化され、芯材８０と該芯材８０が内部を挿通する壁体さや管６４との間隙にはグラウト材が充填されて一体化されており、これにより、プレキャストフーチング１２の壁体連結フーチングブロック１４および４段に積まれたプレキャスト壁体６０は一体化されている。この構造物にさらに第１の間詰めフーチングブロック１６および第２の間詰めフーチングブロック１８を加えた構造物が、本実施形態に係る重力式プレキャスト防潮堤１０である。なお、実際の施工においては、後に施工方法のところで詳述するように、法線方向に間隔を開けて隣り合う壁体連結フーチングブロック１４同士の間に第１の間詰めフーチングブロック１６および第２の間詰めフーチングブロック１８を配置して、それらを壁体連結フーチングブロック１４と所定の連結状態となるようにアンカーボルト４０で連結してプレキャストフーチング１２を完成させた後に、芯材８０を突出さや管２４内に設置し、突出さや管２４内に設置した芯材８０に壁体さや管６４を挿通させてプレキャストフーチング１２の上方にプレキャスト壁体６０を所定の段数積み上げ、さらに前述したようにそれらをグラウト材で一体化させて、本実施形態に係る重力式プレキャスト防潮堤１０を構築している。
【００６７】
本実施形態に係る重力式プレキャスト防潮堤１０においては、壁体連結フーチングブロック１４と最下段のプレキャスト壁体６０との連結部の水平断面には、突出さや管２４、壁体さや管６４、および芯材８０が存在して多重管構造となっており、壁体連結フーチングブロック１４と最下段のプレキャスト壁体６０との連結部の鋼材量が多くなっているため、壁体連結フーチングブロック１４と最下段のプレキャスト壁体６０との連結部において、プレキャスト壁体６０の厚さを厚くしなくても、壁体連結フーチングブロック１４とプレキャスト壁体６０との間の断面力伝達は十分に行われる。したがって、壁体連結フーチングブロック１４は、プレキャスト壁体６０との間で断面力の十分な伝達を可能にする連結部を有する。
【００６８】
芯材８０は、壁体連結フーチングブロック１４および４段に積まれたプレキャスト壁体６０を連結する役割を有する。芯材８０は鋼管である。芯材８０は、壁体連結フーチングブロック１４および４段に積まれたプレキャスト壁体６０を連結するのに十分な断面力伝達能力を有していれば、鋼管でなくてもよく、その材質や形状は特には限定されない。具体的には例えば、芯材８０として、鋼板からビルドアップして製作された鋼材または形鋼を用いることもできる。鋼板からビルドアップして製作された鋼材や形鋼を芯材８０に用いる場合、その断面形状も特には限定されないが、例えば断面がＨ形のものを用いることもできる。また、芯材８０は、１つの部材のみで形成されていなくてもよく、想定される断面力の伝達を十分になすことができるのであれば、複数の部材を溶接や機械的な接合により連結させたものであってもよい。
【００６９】
なお、プレキャストフーチング１２の下面に、プレキャスト壁体６０の略法線方向に延びる、下方に突出した突出部（図示省略）を設けてもよい。このような突出部を設けることにより、本実施形態に係る重力式プレキャスト防潮堤１０が大津波等の外力を受けた際の滑動を防止する機能を強化することができる。
【００７０】
また、以上説明した本実施形態に係る重力式プレキャスト防潮堤１０においては、プレキャスト壁体６０を鉛直方向に４段積むように構成したが、プレキャスト壁体６０を積む段数は４段に限定されているわけではなく、設置する場所や要求される性能等に応じて、１〜３段にしてもよく、あるいは５段以上にしてもよい。
【００７１】
また、壁体連結フーチングブロック１４において、突出さや管２４を水平方向骨格部材２２のプレキャスト壁体６０側の端部に配置するようにしたが、突出さや管２４を配置する位置はこの位置に限定されるわけではなく、設計条件に応じて適宜に設定することができ、水平方向骨格部材２２の端部以外（例えば、水平方向骨格部材２２の中央部付近）に突出さや管２４を配置してもよい。水平方向骨格部材２２の端部以外（例えば、水平方向骨格部材２２の中央部付近）に突出さや管２４を配置する場合、突出さや管２４は、例えば図１１（フーチング鋼材２０の変形例であるフーチング鋼材２１を示す斜視図）に示すように、２つの水平方向骨格部材２２の間に挟まれるように配置されることになる。
【００７２】
また、第１の間詰めフーチングブロック１６および第２の間詰めフーチングブロック１８の自重を壁体連結フーチングブロック１４に伝達するのに必要な量の鉄筋（例えば、図１および図７に示すかみ合わせ構造におけるかみ合わせ部位で破壊が起こることを防止する鉄筋）を、壁体連結フーチングブロック１４、第１の間詰めフーチングブロック１６および第２の間詰めフーチングブロック１８の中の所定の位置に配置している。
【００７３】
また、本実施形態に係る重力式プレキャスト防潮堤１０においては、工場製作の段階で、壁体連結フーチングブロック１４、第１の間詰めフーチングブロック１６および第２の間詰めフーチングブロック１８にそれぞれ連結用孔１４Ｂ、１６Ｂ、１８Ｂを設けたが、安全が確認できれば、アンカーボルト４０を挿通させる孔は工場製作時には設けず、現場削孔で設けるようにしてもよい。
【００７４】
（本実施形態に係る重力式プレキャスト防潮堤１０の効果）
本実施形態に係る重力式プレキャスト防潮堤１０は、フーチング部（壁体連結フーチングブロック１４）と壁体部（最下段のプレキャスト壁体６０）との連結部に多重管構造を採用してスリムな構造を実現するとともに、プレキャストフーチング１２を法線方向に分割して複数のフーチングブロック（壁体連結フーチングブロック１４、第１の間詰めフーチングブロック１６、第２の間詰めフーチングブロック１８）とすることにより、重力式プレキャスト防潮堤１０のフーチング部および壁体部の両方を運搬可能な状態にプレキャスト化することを実現した。
【００７５】
一方、スリムな構造を実現することで重量が小さくなっており、また、プレキャストフーチング１２を法線方向に分割することでフーチング部の一体性が損なわれているので、外力作用時の重力式防潮堤としての安定度に欠ける可能性があることが懸念される。
【００７６】
この懸念に対しては、図１および図７に示すかみ合わせ構造を採用することにより、重力式プレキャスト防潮堤１０が転倒しようとする際に、第１の間詰めフーチングブロック１６および第２の間詰めフーチングブロック１８の自重が壁体連結フーチングブロック１４に十分に伝達されるようにして、重力式プレキャスト防潮堤１０の転倒に対する安定モーメントの算出に際して第１の間詰めフーチングブロック１６および第２の間詰めフーチングブロック１８の自重を計算に見込めるようにした。
【００７７】
また、第１の間詰めフーチングブロック１６および第２の間詰めフーチングブロック１８をアンカーボルト４０を介して壁体連結フーチングブロック１４と連結させた。これにより、アンカーボルト４０を介して、壁体連結フーチングブロック１４と第１の間詰めフーチングブロック１６および第２の間詰めフーチングブロック１８との間で、法直方向の力がせん断力として伝達されるようにして、第１の間詰めフーチングブロック１６および第２の間詰めフーチングブロック１８の自重を、重力式プレキャスト防潮堤１０の滑動に対する抵抗として計算に見込むことができるようにした。
【００７８】
以上説明したように、法直方向の外力がプレキャスト壁体６０に作用して、重力式プレキャスト防潮堤１０が転倒または滑動しようとする際に生じる力を相互に伝達できるように、法線方向に隣り合う壁体連結フーチングブロック１４と間詰めフーチングブロック１６、１８とを連結することで、第１の間詰めフーチングブロック１６および第２の間詰めフーチングブロック１８の自重を重力式プレキャスト防潮堤１０の転倒と滑動に対する設計計算（想定される法直方向の外力（例えば津波の水平波力）に対する転倒と滑動についての設計計算）に見込むことができるようにし、重力式防潮堤としての一定の安定度も確保した。
【００７９】
以上のように、本実施形態に係る重力式プレキャスト防潮堤１０は、フーチング部および壁体部の両方を運搬可能な状態にプレキャスト化することを実現することで、生コン使用量の低減に寄与するとともに、現場での施工性の向上と工期の短縮に寄与することができる。
【００８０】
また、本実施形態に係る重力式プレキャスト防潮堤１０は、フーチングブロック（壁体連結フーチングブロック１４、第１の間詰めフーチングブロック１６および第２の間詰めフーチングブロック１８）同士のかみ合わせ構造およびアンカーボルト４０を介しての連結構造を採用することにより、重力式防潮堤としての一定の安定度も確保した。
【００８１】
（重力式プレキャスト防潮堤１０の設置手順）
次に、重力式プレキャスト防潮堤１０の設置手順の一例について説明する。ここまでの重力式プレキャスト防潮堤１０についての説明では、プレキャスト壁体６０を４段に積んだものとして説明を行ってきたが、以降の重力式プレキャスト防潮堤１０の設置手順の一例についての説明では、プレキャスト壁体６０を３段に積むものとして説明を行う。また、ここまでの重力式プレキャスト防潮堤１０についての説明では、壁体連結フーチングブロック１４において、突出さや管２４を水平方向骨格部材２２のプレキャスト壁体６０側の端部に配置した場合について説明を行ってきたが、以降の重力式プレキャスト防潮堤１０の設置手順の一例についての説明では、水平方向骨格部材２２の中央部付近に突出さや管２４を配置（例えば図１１参照）したものとして説明を行う。重力式プレキャスト防潮堤１０を設置する際には、例えば、次のような手順で施工を行うことができる。
【００８２】
（１）重力式プレキャスト防潮堤１０の設置予定地点において、重力式プレキャスト防潮堤１０の設置に支障となる既設物の撤去を行う。
【００８３】
（２）重力式プレキャスト防潮堤１０の設置予定地点に捨てコンクリート９０を敷設する（図１２参照）。
【００８４】
（３）捨てコンクリート９０の上に壁体連結フーチングブロック１４を設置する（図１３参照）。
【００８５】
（４）間詰めフーチングブロック１６、１８をクレーン９２で吊り上げて、壁体連結フーチングブロック１４の間に設置し、さらに、アンカーボルト４０を用いて壁体連結フーチングブロック１４と第１および第２の間詰めフーチングブロック１６、１８とを連結して、プレキャストフーチング１２を完成させる（図１４参照）。
【００８６】
（５）埋め戻しを行う（図１５参照）。
【００８７】
（６）芯材８０をクレーン９２で吊り上げて、芯材８０の設置を行う（図１６参照）。
【００８８】
（７）芯材８０と該芯材８０が差し込まれた突出さや管２４との間隙にグラウト材を充填する（図１７参照）。
【００８９】
（８）１段目のプレキャスト壁体６０を搬入して、クレーン９２で吊り上げて、１段目のプレキャスト壁体６０の設置を行う（図１８参照）。
【００９０】
（９）突出さや管２４と該突出さや管２４が差し込まれた壁体さや管６４との間隙にグラウト材を充填するとともに、１段目のプレキャスト壁体６０の壁体さや管６４と芯材８０との間隙にグラウト材を充填する（図１９参照）。
【００９１】
（１０）２段目のプレキャスト壁体６０を搬入して、クレーン９２で吊り上げて、２段目のプレキャスト壁体６０の設置を行う（図２０参照）。
【００９２】
（１１）２段目のプレキャスト壁体６０の壁体さや管６４と芯材８０との間隙にグラウト材を充填する（図２１参照）。
【００９３】
（１２）３段目のプレキャスト壁体６０を搬入して、クレーン９２で吊り上げて、３段目のプレキャスト壁体６０の設置を行う（図２２参照）。
【００９４】
（１３）３段目のプレキャスト壁体６０の壁体さや管６４と芯材８０との間隙にグラウト材を充填する（図２３参照）。
【００９５】
（１４）必要に応じて嵩上げを行う（図２４参照）。
【００９６】
なお、充填するグラウト材の材質は、想定される断面力を伝達するのに十分な連結状態が得られて、プレキャストフーチング１２および３段に積まれたプレキャスト壁体６０が十分に一体化されるのであれば特に限定されず、例えば、セメント（モルタル）系グラウト材、ガラス系グラウト材、合成樹脂系グラウト材等を用いることができる。
【００９７】
また、前記の説明では、各段のプレキャスト壁体６０を設置するごとにグラウト材の充填を行ったが、プレキャスト壁体６０を複数段設置する場合のグラウト材の充填時期は特には限定されず、プレキャスト壁体６０を複数段積んだ後に複数段の分のグラウト材を一度に充填してもよい。
【００９８】
以上のように施工することにより、本実施形態に係る重力式プレキャスト防潮堤１０を得ることができる。
【００９９】
このような施工を繰り返し行うことにより、複数の重力式プレキャスト防潮堤１０を水平方向に連続するように配置（例えば図１参照）して、例えば海岸線に沿って延びる重力式プレキャスト防潮堤を構築することができる。
【０１００】
（プレキャストフーチング１２および連結構造についての変形例）
以上説明した重力式プレキャスト防潮堤１０は本発明の具体例の１つであり、本発明の具体例は重力式プレキャスト防潮堤１０以外にも多数存在する。
【０１０１】
以下では、本発明の具体例の１つである重力式プレキャスト防潮堤１０の変形例について説明する。
【０１０２】
（変形例１）
変形例１は、間詰めフーチングブロック１６、１８を、法直方向に細長い直方体形状の間詰めフーチングブロック１００にした変形例である。
【０１０３】
本変形例１における壁体連結フーチングブロック１４と間詰めフーチングブロック１００との連結態様を図２５（法線方向と平行な鉛直面で壁体連結フーチングブロック１４と間詰めフーチングブロック１００との連結部位を切断して得られた鉛直断面図）に示す。
【０１０４】
本変形例１においては、図２５に示すように、間詰めフーチングブロック１００の側面上部に、アンカーボルト１０２を間詰めフーチングブロック１００の側面と直交する方向に突出するように設けるとともに、壁体連結フーチングブロック１４の上部の部位の側面に、該側面と直交する方向に突出するように、アンカーボルト１０４を設ける。そして、壁体連結フーチングブロック１４の下部張出し部１４Ａの上方に現場打ちコンクリート１０６を打設してアンカーボルト１０２、１０４の突出部位を現場打ちコンクリート１０６の中に埋め込んで一体化して、間詰めフーチングブロック１００を壁体連結フーチングブロック１４と連結する。
【０１０５】
本変形例１においては、間詰めフーチングブロック１００と現場打ちコンクリート１０６との境界面を挿通するように略法線方向にアンカーボルト１０２が設けられており、さらに、壁体連結フーチングブロック１４と現場打ちコンクリート１０６との境界面を挿通するように略法線方向にアンカーボルト１０４が設けられている。
【０１０６】
本変形例１においては、間詰めフーチングブロック１００の形状が法直方向に細長い直方体形状であり単純な形状であるので、間詰めフーチングブロック１００の製作の点では有利であるが、現場打ちコンクリート１０６を少量ではあるが現場で打設する必要がある点で不利（生コン使用量の面および現場での施工性と工期の面で不利）である。
【０１０７】
（変形例２）
変形例２は、図２６（Ａ）、（Ｂ）に示すように、壁体連結フーチングブロック１４の下部張出し部１４Ａの上面に略鉛直方向に突出した凸部１１０Ａ１を設け、間詰めフーチングブロック１６、１８の上部張出し部１６Ａ、１８Ａの下面に、凸部１１０Ａ１と嵌合する凹部１１２Ａ１、１１４Ａ１を設けた変形例である。図２６（Ａ）、（Ｂ）においては、本変形例２の壁体連結フーチングブロックに符号１１０を付し、その下部張出し部に符号１１０Ａを付している。また、壁体連結フーチングブロック１１０の法線方向の両隣に配置される本変形例２の間詰めフーチングブロックにそれぞれ符号１１２、１１４を付し、その上部張出し部にそれぞれ符号１１２Ａ、１１４Ａを付している。なお、図２６（Ａ）においては突出さや管２４の記載は省略している。
【０１０８】
壁体連結フーチングブロック１１０においては凸部１１０Ａ１を補強する鉄筋（図示せず）が配置されており、間詰めフーチングブロック１１２、１１４においては凹部１１２Ａ１、１１４Ａ１を補強する鉄筋（図示せず）が配置されていて、嵌合した凸部１１０Ａ１と凹部１１２Ａ１、１１４Ａ１との間で、想定される断面力の伝達が安全になされるようにしている。
【０１０９】
本変形例２においては、壁体連結フーチングブロック１１０を所定の位置に配置した後、壁体連結フーチングブロック１１０の下部張出し部１１０Ａの上面に設けられた凸部１１０Ａ１の表面に目地材を塗っておき、凹部１１２Ａ１、１１４Ａ１を凸部１１０Ａ１に嵌め込むように間詰めフーチングブロック１１２、１１４を配置し、凸部１１０Ａ１と凹部１１２Ａ１、１１４Ａ１との間隙に目地材が配置されるようにする。
【０１１０】
本変形例２では、壁体連結フーチングブロック１１０の下部張出し部１１０Ａの上面に凸部１１０Ａ１を設け、間詰めフーチングブロック１１２、１１４の上部張出し部１１２Ａ、１１４Ａの下面に、凸部１１０Ａ１と嵌合する凹部１１２Ａ１、１１４Ａ１を設けたが、それに代えて、壁体連結フーチングブロック１１０の下部張出し部１１０Ａの上面に略鉛直方向に凹んだ凹部を設け、間詰めフーチングブロック１１２、１１４の上部張出し部１１２Ａ、１１４Ａの下面に、下部張出し部１１０Ａの上面に設けた前記凹部に嵌合する略鉛直方向に突出した凸部を設けるように構成してもよい。
【０１１１】
（変形例３）
変形例３は、壁体連結フーチングブロック１４に代えて、法直方向に細長い略直方体形状の壁体連結フーチングブロック１２０を用い、間詰めフーチングブロック１６、１８に代えて、法直方向に細長い略直方体形状の間詰めフーチングブロック１２２、１２４を用いた変形例である。図２７（Ａ）に変形例３の壁体連結フーチングブロック１２０を示し、図２７（Ｂ）に変形例３の間詰めフーチングブロック１２２、１２４を示す。なお、図２７（Ａ）においては突出さや管２４の記載は省略している。
【０１１２】
壁体連結フーチングブロック１２０は側面の下部に、該側面と略直交する方向に突出した凸部１２０Ａが設けられており、間詰めフーチングブロック１２２、１２４は側面の下部に、凸部１２０Ａと嵌合する凹部１２２Ａ、１２４Ａが設けられている。
【０１１３】
壁体連結フーチングブロック１２０においては凸部１２０Ａを補強する鉄筋（図示せず）が配置されており、間詰めフーチングブロック１２２、１２４においては凹部１２２Ａ、１２４Ａを補強する鉄筋（図示せず）が配置されていて、嵌合した凸部１２０Ａと凹部１２２Ａ、１２４Ａとの間で十分に力の伝達がなされるようにしている。
【０１１４】
本変形例３においては、壁体連結フーチングブロック１２０を所定の位置に配置した後、壁体連結フーチングブロック１２０の側面の下部に設けられた凸部１２０Ａの表面に目地材を塗っておく。そして、凹部１２２Ａ、１２４Ａを凸部１２０Ａに嵌め込むように間詰めフーチングブロック１２２、１２４を配置し、凸部１２０Ａと凹部１２２Ａ、１２４Ａとの間隙に目地材が配置されるようにする。
【０１１５】
（変形例４）
変形例４は、法線方向に隣り合う壁体連結フーチングブロックと間詰めフーチングブロックとのつなぎ目を貫通するようにＰＣ鋼材を配置して、プレストレスを導入して一体化させる変形例である。変形例４の図示は省略する。
【符号の説明】
【０１１６】
１０…重力式プレキャスト防潮堤
１２…プレキャストフーチング
１４…壁体連結フーチングブロック
１４Ａ…下部張出し部
１４Ｂ、１６Ｂ、１８Ｂ…連結用孔
１６…第１の間詰めフーチングブロック
１６Ａ、１８Ａ…上部張出し部
１８…第２の間詰めフーチングブロック
２０、２１…フーチング鋼材
２２…水平方向骨格部材
２４…突出さや管
２６…ダイヤフラム
３０…コンクリート部
３２…上方開口孔
４０、１０２、１０４…アンカーボルト
４４…グラウト材
６０…プレキャスト壁体
６２…壁体鋼材
６４…壁体さや管
６６…法線方向部材
７０…コンクリート部
７２…壁体貫通孔
８０…芯材
９０…捨てコンクリート
９２…クレーン
１００…間詰めフーチングブロック
１０２、１０４…アンカーボルト
１０６…現場打ちコンクリート
１１０…壁体連結フーチングブロック
１１０Ａ…下部張出し部
１１０Ａ１…凸部
１１２、１１４…間詰めフーチングブロック
１１２Ａ、１１４Ａ…上部張出し部
１１２Ａ１、１１４Ａ１…凹部
１２０…壁体連結フーチングブロック
１２０Ａ…凸部
１２２、１２４…間詰めフーチングブロック
１２２Ａ、１２４Ａ…凹部
【図１】
2018053612.tif 000003
【図２】
2018053612.tif 000004
【図３】
2018053612.tif 000005
【図４】
2018053612.tif 000006
【図５】
2018053612.tif 000007
【図６】
2018053612.tif 000008
【図７】
2018053612.tif 000009
【図８】
2018053612.tif 000010
【図９】
2018053612.tif 000011
【図１０】
2018053612.tif 000012
【図１１】
2018053612.tif 000013
【図１２】
2018053612.tif 000014
【図１３】
2018053612.tif 000015
【図１４】
2018053612.tif 000016
【図１５】
2018053612.tif 000017
【図１６】
2018053612.tif 000018
【図１７】
2018053612.tif 000019
【図１８】
2018053612.tif 000020
【図１９】
2018053612.tif 000021
【図２０】
2018053612.tif 000022
【図２１】
2018053612.tif 000023
【図２２】
2018053612.tif 000024
【図２３】
2018053612.tif 000025
【図２４】
2018053612.tif 000026
【図２５】
2018053612.tif 000027
【図２６】
2018053612.tif 000028
【図２７】
2018053612.tif 000029